(57)【特許請求の範囲】
【請求項１】
互いに対向する前胴周り域および後胴周り域と、それら胴周り域の間に位置する股下域とを備え、前記前後胴周り域の両側縁部が連結されて胴周り開口と一対の脚周り開口とが画成されたおむつの外面に、該おむつを丸めておくことが可能な止着用テープが取り付けられ、丸められた前記おむつの外面に対する係着手段が、該おむつの外面と対向する前記テープの内面に形成されたパンツ型の使い捨ておむつにおいて、
前記テープが、前記前後胴周り域のいずれか一方の両側縁部に配置されて縦方向へ延び、前記胴周り開口の側に位置する上端部と、前記脚周り開口の側に位置する下端部とを有し、前記下端部が、前記脚周り開口の縁部近傍を胴周り方向へ延びる接合部を介して前記おむつに固着され、前記接合部が、前記両側縁部から胴周り方向内方へ向かって前記上端部の側へ傾斜していることを特徴とする前記おむつ。
【請求項２】
前記テープの下端部が、該テープの上端部よりも前記胴周り方向内方に位置し、前記テープ各々が、前記下端部から前記上端部へ向かって次第に離間するように傾斜している請求項１記載のおむつ。
【請求項３】
前記脚周り方向へ伸縮する脚周り用弾性部材が、前記脚周り開口の縁部に伸長状態で取り付けられ、前記接合部が、前記脚周り用弾性部材の少なくとも一部に重なっている請求項１または請求項２に記載のおむつ。
【請求項４】
前記係着手段が、前記テープに塗布された粘着剤と前記テープに取り付けられたフック部材とのいずれかから形成され、前記テープの内面を剥離可能に仮着する剥離シートが、前記両側縁部における前記おむつの外面に取り付けられている請求項１ないし請求項３いずれかに記載おむつ。
【発明の詳細な説明】
【０００１】
【発明の属する技術分野】
本発明は、使用後に丸めて廃棄するための止着用テープを有するパンツ型の使い捨ておむつに関する。
【０００２】
【従来の技術】
特開平９−２５３１２３号公報と特開平９−２５３１２４号公報とは、透液性表面シートと不透液性裏面シートとの間に吸液性コアが介在し、互いに対向する前胴周り域および後胴周り域と、それら胴周り域の間に位置する股下域とを備え、後胴周り域における裏面シートの外面におむつを丸めておくことが可能な止着用テープが取り付けられたパンツ型の使い捨ておむつを開示している。
【０００３】
特開平９−２５３１２３号公報に開示のおむつでは、止着用テープが胴周り方向へ延びる一条のテープ片から形成され、テープ片の長手方向中央部がおむつに固着され、テープ片の左右各側部が左右各胴周り方向へ伸展可能に折り重ねられている。左右各側部には、折り重ねられた状態を保持するための粘着域が形成されている。
【０００４】
特開平９−２５３１２４号公報に開示のおむつでは、止着用テープがおむつの胴周り方向へ互いに平行して延び、上下方向へ離間する２条の粘着テープから形成されている。
【０００５】
それらおむつを廃棄するときでは、前胴周り域を内側にしておむつがその両側縁部各々からテープへ向かって胴周り方向へ丸められ、おむつに捲き付けられたテープが粘着剤を介して裏面シートの外面に止着される。それらおむつは、丸められたおむつの外周をテープで括ることにより、おむつの丸められた状態を保持することができる。
【０００６】
【発明が解決しようとする課題】
それら公報に開示のおむつは、おむつをその両側縁部の一方と他方とからテープへ向かって胴周り方向へ丸めなければならず、さらに、丸められたおむつの外周にテープを捲き付けなければならないので、丸める操作と丸められたおむつに対するテープの止着操作とに手間を要する。また、それらおむつの丸められた状態では、胴周り開口の縁部が露出したままないので、排泄物や臭気が胴周り開口から漏れてしまうことがある。
【０００７】
本発明の課題は、丸める操作とテープの止着操作とに手間を要せず、胴周り開口や脚周り開口から排泄物や臭気が漏れることがないように丸めておくことができるパンツ型の使い捨ておむつを提供することにある。
【０００８】
【課題を解決するための手段】
前述した課題を解決するための本発明は、互いに対向する前胴周り域および後胴周り域と、それら胴周り域の間に位置する股下域とを備え、前記前後胴周り域の両側縁部が連結されて胴周り開口と一対の脚周り開口とが画成されたおむつの外面に、該おむつを丸めておくことが可能な止着用テープが取り付けられ、丸められた前記おむつの外面に対する係着手段が、該おむつの外面と対向する前記テープの内面に形成されたパンツ型の使い捨ておむつを改良することにある。
【０００９】
改良にかかる本発明の特徴は、前記テープが、前記前後胴周り域のいずれか一方の両側縁部に配置されて縦方向へ延び、前記胴周り開口の側に位置する上端部と、前記脚周り開口の側に位置する下端部とを有し、前記下端部が、前記脚周り開口の縁部近傍を胴周り方向へ延びる接合部を介して前記おむつに固着され、前記接合部が、前記両側縁部から胴周り方向内方へ向かって前記上端部の側へ傾斜していることにある。
【００１０】
本発明の実施の態様の一例としては、前記テープの下端部が、該テープの上端部よりも前記胴周り方向内方に位置し、前記テープ各々が、前記下端部から前記上端部へ向かって次第に離間するように傾斜している。
【００１１】
本発明の実施の態様の他の一例としては、前記脚周り方向へ伸縮する脚周り用弾性部材が、前記脚周り開口の縁部に伸長状態で取り付けられ、前記接合部が、前記脚周り用弾性部材の少なくとも一部に重なっている。
【００１２】
本発明の実施の態様の一例としては、前記係着手段が、前記テープに塗布された粘着剤と前記テープに取り付けられたフック部材とのいずれかから形成され、前記テープの内面を剥離可能に仮着する剥離シートが、前記両側縁部における前記おむつの外面に取り付けられている。
【００１３】
【発明の実施の形態】
添付の図面を参照し、本発明に係るパンツ型の使い捨ておむつの詳細を説明すると、以下のとおりである。
【００１４】
図１，２は、後胴周り域２２の側から示す使い捨ておむつ１Ａの部分破断斜視図と、図１のＡ−Ａ線端面図とであり、図３は、図１のＢ−Ｂ線端面図である。図１では、一方の止着用テープ１０を剥離シート１２から剥離させた状態で示し、胴周り方向を矢印Ｘ、縦方向を矢印Ｙ１、脚周り方向を矢印Ｙ２で示す。なお、表裏面シート２，３や止着用テープ１０、剥離シート１２の内面とは、コア４に対向する面をいい、それらの外面とは、コア４に非対向の面をいう。
【００１５】
おむつ１Ａは、透液性表面シート２と、不透液性裏面シート３と、それらシート２，３の間に介在し、全体がティッシュペーパー（図示せず）に被覆、接合された吸液性コア４とを主要な構成部材とする。コア４は、ティッシュペーパーを介して表面シート２と裏面シート３との内面に接合されている。
【００１６】
おむつ１Ａは、互いに対向する前胴周り域２０および後胴周り域２２と、前後胴周り域２０，２２の間に位置する股下域２１とを有する。おむつ１Ａでは、前後胴周り域２０，２２の縦方向へ延びる両側縁部５ａ，５ｂが合掌状に重なり合った状態で固着され、胴周り開口６と一対の脚周り開口７とが画成されている。
【００１７】
胴周り開口６の縁部６ａには、胴周り方向へ伸縮する複数条の胴周り用弾性部材８が表面シート２と裏面シート３との間に介在し、それらシート２，３の内面に伸長状態で取り付けられている。脚周り開口７の縁部７ａには、脚周り方向へ伸縮する複数条の脚周り用弾性部材９が表面シート２と裏面シート３との間に介在し、それらシート２，３の内面に伸長状態で取り付けられている。図１では、弾性部材８，９各々が収縮し、胴周り開口６の縁部６ａと脚周り開口７の縁部７ａとに沿って多数のギャザーが形成されている。
【００１８】
後胴周り域２２の両側縁部５ｂには、おむつ１Ａを丸めておくことが可能な一対の止着用テープ１０が取り付けられている。テープ１０は、可撓性を有する非伸縮性のプラスチックシートから形成されている。テープ１０は、裏面シート３の外面に配置され、両側縁部５ｂと並行して縦方向へ延びている。
【００１９】
テープ１０は、胴周り開口６の側に位置する上端部１０ａと、脚周り開口７の側に位置する下端部１０ｂとを有する。テープ１０では、下端部１０ｂが胴周り方向へ延びる接合部１１を介して裏面シート３の外面に固着されている。テープ１０の内面には、粘着剤１３が塗布されている。テープ１０の上端部１０ａには、粘着剤１３が塗布されていない摘み１０ｃが形成されている。
【００２０】
接合部１１は、脚周り用弾性部材９に重なり、後胴周り域２２の両側縁部５ｂから胴周り方向内方へ向かって上端部１０ａの側へ傾斜している。接合部１１では、テープ１０の内面が裏面シート３の外面に接着剤１４を介して固着されている。接合部１１は、胴周り用弾性部材９の全てに重なっているが、胴周り用弾性部材９のうちの少なくとも１本と重なっていればよい。
【００２１】
テープ１０と裏面シート３との間には、テープ１０を剥離可能に仮着する剥離シート１２が介在している。剥離シート１２は、可撓性のプラスチックシートから形成され、その内面が裏面シート３の外面に接着剤１４を介して固着されている。テープ１０は、粘着剤１３を介して剥離シート１２の外面に仮着されている。接着剤１４としては、ホットメルト型接着剤を使用することが好ましい。なお、裏面シート３に対するテープ１０と剥離シート１２との固着には、熱による溶着手段を利用することもできる。
【００２２】
図４，５は、廃棄するために丸められた図１のおむつ１Ａの斜視図である。それら図では、一方の止着テープ１０を剥離シート１２から剥がし、テープ１０をめくった状態が仮想線で示されている。図４では、前胴周り域２０を内側にしておむつ１Ａが股下域２１から胴周り開口６の縁部６ａに向かって縦方向へ丸められている。図５では、前胴周り域２０を内側にしておむつ１Ａが胴周り開口６の縁部６ａから股下域２１に向かって縦方向へ丸められている。丸められたそれらおむつ１Ａでは、テープ１０が粘着剤１３を介して裏面シート３の外面に止着されている。
【００２３】
丸められたおむつ１Ａにテープ１０を止着するには、テープ１０の摘み１０ｃを指で摘持してテープ１０を剥離シート１２から剥がし、テープ１０を矢印Ｚ１で示す方向へめくり、矢印Ｚ２の方向へ旋回させてテープ１０を裏面シート３の外面に押し付ける。
【００２４】
おむつ１Ａでは、接合部１１が傾斜して延びているので、テープ１０を矢印Ｚ１の方向へめくると、図４，５に仮想線で示すように、テープ１０がそれら図の横方向へ向かって傾斜する。おむつ１Ａでは、テープ１０をめくった後に、テープ１０の向きをかえることなく、それを矢印Ｚ２の方向へ旋回させて裏面シート３の外面にテープ１０を止着すればよいので、丸められたおむつ１Ａに対するテープ１０の止着操作が容易である。
【００２５】
おむつ１Ａでは、接合部１１が脚周り用弾性部材９に重なっているので、テープ１０をおむつ１Ａから離間する方向へ引っ張ると、その張力が直接脚周り用弾性部材９に作用する。おむつ１Ａでは、テープ１０を矢印Ｚ３で示す方向へ引っ張ることによって、収縮した脚周り用弾性部材９と脚周り開口７の縁部７ａとを伸長させることができる。おむつ１Ａでは、脚周り用弾性部材９と縁部７ａとを矢印Ｚ３の方向へ伸長させた状態でテープ１０を裏面シート３の外面に止着すると、伸長した縁部７ａによって脚周り開口７が閉じられる。
【００２６】
おむつ１Ａでは、テープ１０各々によっておむつ１Ａの丸められた状態が保持されるとともに、縁部７ａによって脚周り開口７の閉じられた状態が保持される。おむつ１Ａでは、脚周り開口７が口を開けることはなく、排泄物や臭気が脚周り開口７から漏れてしまうことがない。また、おむつ１Ａを図５のように丸めた場合では、胴周り開口６の縁部６ａが丸められたおむつ１Ａの内部に納まり、胴周り開口６が露出することはないので、排泄物や臭気が胴周り開口６から漏れてしまうことがない。
【００２７】
図６，７は、他の実施の形態を示すおむつ１Ｂの部分破断斜視図と、廃棄するために丸められた図６のおむつ１Ｂの斜視図とである。図６では、おむつ１Ｂを後胴周り域２２の側から示すとともに、一方の止着用テープ１０を剥離シート１２から剥離させた状態で示す。図７では、一方の止着用テープ１０を剥離シート１２から剥がし、テープ１０をめくった状態が仮想線で示されている。
【００２８】
おむつ１Ｂの基本構成は、図１のそれと同一なので、その説明は省略する。図６のおむつ１Ｂが図１のそれと異なる点は、以下のとおりである。おむつ１Ｂでは、テープ１０の下端部１０ｂが上端部１０ａよりも胴周り方向内方に位置し、テープ１０各々が、下端部１０ｂから上端部１０ａへ向かって次第に離間するように傾斜して延びている。
【００２９】
おむつ１Ｂは、図７に示すように、前胴周り域２０を内側にしておむつ１Ｂが股下域２１から胴周り開口６の縁部６ａに向かって縦方向へ丸められている。丸められたおむつ１Ｂでは、テープ１０が粘着剤（図示せず）を介して裏面シート３の外面に止着されている。
【００３０】
おむつ１Ｂでは、テープ１０各々がその下端部１０ｂから上端部１０ａへ向かって次第に離間するように傾斜して延びるとともに、接合部１１が両側縁部５から胴周り方向内方へ向かって上端部１０ａの側へ傾斜して延びているので、テープ１０を矢印Ｚ１の方向へめくると、図７に仮想線で示すように、テープ１０が図の横方向へ向かって延びる。おむつ１Ｂでは、テープ１０をめくった後に、テープ１０の向きをかえることなく、それを矢印Ｚ２の方向へ旋回させて裏面シート３の外面にテープ１０を止着すればよい。
【００３１】
このおむつ１Ｂは、図１のそれと同様に、テープ１０を矢印Ｚ３で示す方向へ引っ張ることによって、収縮した脚周り用弾性部材９と脚周り開口７の縁部７ａとを伸長させることができる。おむつ１Ｂでは、止着テープ１０各々によって丸められた状態が保持されるとともに、矢印Ｚ３の方向へ伸長した縁部７ａによって脚周り開口７の閉じられた状態が保持される。
【００３２】
このおむつ１Ｂを廃棄するときには、前胴周り域２０を内側にしておむつ１Ａを胴周り開口６の縁部６ａから股下域２１に向かって縦方向へ丸めることもできる。
【００３３】
止着用テープ１０としては、非伸縮性のプラスチックシートの他に、弾性的な伸縮性を有する合成ゴムや天然ゴム等のエラストマー、または、それらエラストマーを伸長状態で繊維不織布に固着したものを使用することもできる。
【００３４】
裏面シート３が繊維不織布で形成されている場合は、テープ１０の内面に粘着剤１３を塗布することの他に、テープ１０の内面にメカニカルファスナのうちのフック部材を取り付けることもできる。フック部材が不織布の構成繊維に引っ掛かることで、丸められたおむつ１Ａ，１Ｂの裏面シート３の外面にテープ１０が係着される。テープ１０にフック部材を取り付けた場合では、剥離シート１２として、ループ部材を使用することができる。ループ部材は、後胴周り域２２の両側縁部５ｂにおける裏面シート３の外面に取り付ける。テープ１０と剥離シート１２とは、前胴周り域２０の両側縁部５ａにおける裏面シート３の外面に取り付けられていてもよい。
【００３５】
表面シート２には、親水性繊維不織布や多数の開孔を有するプラスチックフィルムを使用することができる。裏面シート３には、疎水性繊維不織布や不透液性のプラスチックフィルム、または、疎水性繊維不織布とプラスチックフィルムとのラミネートシートを使用することができる。裏面シート３には、高い耐水性を有するメルトブローン法による繊維不織布を、高い強度を有しかつ柔軟性に富んだスパンボンド法による繊維不織布で挟んだ複合不織布を使用することもできる。
【００３６】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維またはサドバイサイド型複合繊維を使用することができる。
【００３７】
コア４は、フラッフパルプと高吸収性ポリマー粒子と熱可塑性合成樹脂繊維との混合物であり、所要の厚みに圧縮されている。高吸収性ポリマーとしては、デンプン系、セルロース系、合成ポリマー系のものを使用することができる。
【００３８】
表裏面シート２，３の固着、コア４の接合、弾性部材８，９の取り付けには、ホットメルト型接着剤、または、ヒートシールやソニックシール等の熱による溶着手段を使用することができる。
【００３９】
【発明の効果】
本発明に係るパンツ型の使い捨ておむつでは、それを廃棄するときに、おむつを股下域から胴周り開口の縁部に向かって縦方向へ丸めるか、または、おむつを胴周り開口の縁部から股下域に向かって縦方向へ丸め、めくった止着用テープの向きをかえることなくそれを旋回させ、テープを丸められたおむつの外面に止着すればよい。ゆえに、このおむつは、従来技術のそれと比較して、おむつの丸める操作と丸められたおむつに対するテープの止着操作とが容易である。
【００４０】
おむつは、テープによっておむつの丸められた状態が保持されるとともに、伸長した脚周り開口の縁部によって脚周り開口の閉じられた状態が保持されるので、脚周り開口が口を開けることはなく、排泄物や臭気が脚周り開口から漏れてしまうことがない。
【００４１】
また、おむつを胴周り開口の縁部から股下域に向かって縦方向へ丸められた場合では、胴周り開口の縁部が丸められたおむつの内部に納まり、胴周り開口が露出することはないので、排泄物や臭気が胴周り開口から漏れてしまうことがない。
【図面の簡単な説明】
【図１】後胴周り域の側から示すパンツ型の使い捨ておむつの部分破断斜視図。
【図２】図１のＡ−Ａ線端面図。
【図３】図１のＢ−Ｂ線端面図。
【図４】廃棄するために丸められた図１のおむつの斜視図。
【図５】廃棄するために丸められた図１のおむつの斜視図。
【図６】他の実施の形態を示すおむつの部分破断斜視図。
【図７】廃棄するために丸められた図６のおむつの斜視図。
【符号の説明】
１Ａ，１Ｂ    パンツ型の使い捨ておむつ
５ａ          両側縁部
５ｂ          両側縁部
６            胴周り開口
６ａ          縁部
７            脚周り開口
７ａ          縁部
８            胴周り用弾性部材
１０            止着用テープ
１０ａ          上端部
１０ｂ          下端部
１１            接合部
１２            剥離シート
１３            粘着剤（係着手段）
２０            前胴周り域
２１            股下域
２２            後胴周り域
【図１】
0003691377.tif 000002
【図２】
0003691377.tif 000003
【図３】
0003691377.tif 000004
【図４】
0003691377.tif 000005
【図５】
0003691377.tif 000006
【図６】
0003691377.tif 000007
【図７】
0003691377.tif 000008